(57)【要約】【課題】蓋板の生産性を高めることができるとともに、既存の基板支持板を不必要にでき、比較的大型の光源装置のコストを低減することができる光源装置を提供する。【解決手段】枠部２の開放部を閉塞する蓋板３を有し、内部に複数のランプが並置されるシャーシＢの蓋板３を、蓋板３の面に沿う方向へ並置される第１〜第３の板体３１，３２，３３と、隣合う板体３１，３２及び３１，３３を連結する連結部材３４，３４とにより構成し、一つの板体３１に複数の基板５，６，７を取付けて基板モジュールＣを構成することにより特別の基板支持板をなくした。【選択図】図２
2008218345.tif 000002
【特許請求の範囲】
【請求項１】
内部に複数のランプが並置されるシャーシと、該シャーシの外側に取付けられる基板とを備える光源装置において、前記シャーシは、並置されている複数のシャーシ分体と、該シャーシ分体を連結してある連結手段とを備え、前記シャーシ分体の一つに前記基板を取付けてあることを特徴とする光源装置。
【請求項２】
枠部及び該枠部の開放部を閉塞する蓋板を有し、内部に複数のランプが並置されるシャーシと、該シャーシの外側に取付けられる基板とを備える光源装置において、前記蓋板は、該蓋板の面に沿う方向へ複数の板体を並置してなり、該板体の一つに前記基板を取付けてあることを特徴とする光源装置。
【請求項３】
前記一つの板体は、隣合う他の板体と連結する連結部材を取付けてある請求項２記載の光源装置。
【請求項４】
前記一つの板体は、隣合う他の板体と線膨張係数を異にする請求項２又は３記載の光源装置。
【発明の詳細な説明】
【技術分野】
【０００１】
本発明は液晶表示装置等の表示装置の光源として使用される光源装置に関する。
【背景技術】
【０００２】
テレビジョン等の表示装置は、画像を表示する画像表示面を前側に有する表示部の後側に光源装置が配されている。
【０００３】
光源装置は、例えば両端部に電極を有する複数本のランプと、直方体をなす枠部及び該枠部の開放部を閉塞する蓋板を有し、内部に前記ランプが並置されるシャーシと、該シャーシの蓋板の後側に取着されるインバータ回路基板等の電気部品とを備える（例えば、特許文献１参照。）。蓋板は枠部に対応して長方形をなし、アルミニウム板、鉄板等の一枚の板体からなり、該蓋板の周縁部が枠部に結合されている。
【０００４】
図５は光源装置を備える従来の表示装置の構成を示す断面図、図６は従来の光源装置の構成を示す分解斜視図、図７は従来の光源装置の基板モジュールの構成を示す分解斜視図である。薄型の表示装置は、前側にパネル２００を有する表示部２０１の後側に該表示部２０１へ光を照射する光源装置２０２を備える。光源装置２０２のシャーシ２０３は、直方体をなす枠部２０３ａと、周縁部が枠部２０３ａに結合され、該枠部２０３ａの後側端を閉塞する蓋板２０３ｂとを有し、光源装置２０２のランプ２０４を駆動するインバータ回路基板と、パネル２００の駆動及び制御を行う制御回路基板と、外部機器との間でケーブル等の導線が接続／切離される複数の端子を実装してある端子基板２０５と、前記パネル２００に表示する映像を処理させる処理回路基板２０６と、該処理回路基板２０６に電圧を供給する電圧回路基板２０７とが蓋板２０３ｂに取付けられている。
【０００５】
インバータ回路基板及び制御回路基板はシャーシ２０３の蓋板２０３ｂに直接取付けられ、端子基板２０５、処理回路基板２０６及び電圧回路基板２０７は、一枚の板体からなる基板支持板２０８に並べて取付けられ、基板モジュール２０９が構成される。この基板モジュール２０９は、処理回路基板２０６等の基板に実装されている電子部品が正常に動作するか確認検査された後、光源装置２０２の搬送ラインと別の搬送ラインにより表示装置の組立てライン上に搬送され、光源装置２０２のシャーシ２０３の蓋板２０３ｂに取付けられている。
【特許文献１】特開２００２−６７５５号公報
【発明の開示】
【発明が解決しようとする課題】
【０００６】
ところで、液晶テレビジョン等の薄型の表示装置はパネルが年々大型になっており、このパネルの大型化に伴って光源装置及び基板モジュールも大型に形成されている。
【０００７】
ところが、光源装置のシャーシの蓋板はアルミニウム板、鉄板等の一枚の金属板により形成されており、また、この蓋板は金型により成形されているため、比較的大型の表示装置に用いられる光源装置にあっては、蓋板成形用の超大型の金型が必要であり、蓋板の生産効率及び蓋板生産設備に関わる費用が高くなり、蓋板の製造コスト、ひいては蓋板のコスト、光源装置のコストが増加することになり、改善策が要望されていた。また、蓋板の一部に不良が発生しているとき、不良箇所の修理が困難であり、蓋板の全部を交換する必要があるという問題もあった。
【０００８】
また、パネルの大型化に伴ってシャーシとともに大型となる基板モジュールの基板支持板は、一枚の金属板により成形されているため、大型の金型が必要であり、基板モジュールの生産効率及び生産設備に関わる費用が高くなり、基板モジュールの製造コスト、ひいては光源装置のコストが増加することになり、改善策が要望されていた。
【０００９】
また、基板モジュールは、光源装置の搬送ラインと別の搬送ラインにより表示装置の組立てライン上に搬送されているため、表示装置の組立てライン上で基板モジュールの組込工程が加わり、比較的大型の基板モジュールの組込作業が行い難く、改善策が要望されていた。
【００１０】
本発明は斯かる事情に鑑みてなされたものであり、主たる目的は並置されている複数のシャーシ分体と、該シャーシ分体を連結してある連結手段とを備えるシャーシを設け、シャーシ分体の一つに基板を取付けることにより、シャーシの生産性を高めることができるとともに、既存の基板支持板を不必要にでき、比較的大型の光源装置のコストを低減することができる光源装置を提供することにある。
【００１１】
また、他の目的はシャーシの蓋板を、該蓋板の面に沿う方向へ複数の板体を並置してなる構成とし、板体の一つに基板を取付けることにより、蓋板の生産性を高めることができるとともに、既存の基板支持板を不必要にでき、比較的大型の光源装置のコストを低減することができる光源装置を提供することにある。
【００１２】
また、他の目的は一つの板体に、隣合う他の板体と連結する連結部材を取付けることにより、シャーシのコストをより一層低減できるとともに、シャーシの剛性を高めることができる光源装置を提供することにある。
【００１３】
また、他の目的は二つの板体の線膨張係数を異ならせることにより、蓋板の軽量化を図りつつ蓋板の熱膨張量を低減することができ、熱膨張による蓋板の撓み変形を発生し難くできる光源装置を提供することにある。
【課題を解決するための手段】
【００１４】
本発明に係る光源装置は、内部に複数のランプが並置されるシャーシと、該シャーシの外側に取付けられる基板とを備える光源装置において、前記シャーシは、並置されている複数のシャーシ分体と、該シャーシ分体を連結してある連結手段とを備え、前記シャーシ分体の一つに前記基板を取付けてあることを特徴とする。
【００１５】
この発明にあっては、並置された複数のシャーシ分体によりシャーシが形成されているため、該シャーシを比較的小型の金型により生産性よく成形することができ、シャーシのコストを低減できる。しかも、一つのシャーシ分体及び基板が基板モジュールを構成し、既存の基板支持板が不必要であるため、シャーシのコストを低減できることと相俟って光源装置のコストを低減できる。また、一つのシャーシ分体に基板が取付けられている比較的小形の状態で基板の動作確認検査を行うことができ、動作確認検査を容易にできる。また、シャーシの一部に不良が発生したとしても、不良が発生している分体だけを交換することによりシャーシを得ることができ、歩留まりを高めることができる。
【００１６】
また、本発明に係る光源装置は、枠部及び該枠部の開放部を閉塞する蓋板を有し、内部に複数のランプが並置されるシャーシと、該シャーシの外側に取付けられる基板とを備える光源装置において、前記蓋板は、該蓋板の面に沿う方向へ複数の板体を並置してなり、該板体の一つに前記基板を取付けてあることを特徴とする。
【００１７】
この発明にあっては、並置された複数の板体により蓋板が形成されているため、該蓋板の板体を比較的小型の金型により生産性よく成形することができ、蓋板のコスト、ひいてはシャーシのコストを低減できる。しかも、一つの板体及び基板が基板モジュールを構成し、既存の基板支持板が不必要であるため、シャーシのコストを低減できることと相俟って光源装置のコストを低減できる。また、一つの板体に基板が取付けられている比較的小形の状態で基板の動作確認検査を行うことができ、動作確認検査を容易にできる。また、蓋板の一部に不良が発生したとしても、不良が発生している板体だけを交換することにより蓋板を得ることができ、歩留まりを高めることができる。
【００１８】
また、本発明に係る光源装置は、前記一つの板体は、隣合う他の板体と連結する連結部材を取付けてあることを特徴とする。
【００１９】
この発明にあっては、一つの板体と、基板及び連結部材とが基板モジュールを構成しているため、板体の連結作業性を高めることができ、シャーシのコストをより一層低減できるとともに、シャーシの剛性を高めることができる。
【００２０】
また、本発明に係る光源装置は、前記一つの板体は、隣合う他の板体と線膨張係数を異にすることを特徴とする。
【００２１】
この発明にあっては、線膨張係数は大きいが軽量であるアルミニウム板と、線膨張係数が小さく、しかも剛性の高い鉄板とにより蓋板を形成することができるため、蓋板の軽量化を図りつつ蓋板の剛性アップ、及び蓋板の熱膨張量を低減することができ、熱膨張による蓋板の撓み変形を発生し難くできる。
【発明の効果】
【００２２】
以上詳述したように本発明によれば、シャーシを比較的小型の金型により生産性よく成形することができ、また、既存の基板支持板が不必要であり、光源装置のコストを低減できる。しかも、一つのシャーシ分体に基板が取付けられている比較的小形の状態で基板の動作確認検査を行うことができ、動作確認検査を容易にできる。また、シャーシの一部に不良が発生したとしても、不良が発生しているシャーシ分体を交換することによりシャーシを得ることができ、歩留まりを高めることができる。
【００２３】
また、本発明によれば、蓋板の板体を比較的小型の金型により生産性よく成形することができ、また、既存の基板支持板が不必要であり、光源装置のコストを低減できる。しかも、一つの板体に基板が取付けられている比較的小形の状態で基板の動作確認検査を行うことができ、動作確認検査を容易にできる。また、蓋板の一部に不良が発生したとしても、不良が発生している板体を交換することにより蓋板を得ることができ、歩留まりを高めることができる。
【００２４】
また、本発明によれば、複数の板体の連結作業性を高めることができ、シャーシのコストをより一層低減できるとともに、シャーシの剛性を高めることができる。
【００２５】
また、本発明によれば、板体の線膨張係数を異にするから、蓋板の軽量化を図りつつ蓋板の剛性アップ、及び蓋板の熱膨張量を低減することができ、熱膨張による蓋板の撓み変形を発生し難くできる。
【発明を実施するための最良の形態】
【００２６】
以下本発明をその実施の形態を示す図面に基づいて詳述する。
実施の形態１
図１は表示装置に組込まれている本発明に係る光源装置の構成を示す断面図、図２は本発明に係る光源装置の構成を示す分解斜視図、図３は本発明に係る光源装置の基板モジュールの構成を示す分解斜視図である。
【００２７】
図示した光源装置は、前側に表示面１ａを有し、略直方体をなす表示部１を備える薄型の表示装置Ａにおける表示部１の後側に装着されるもので、枠部２及び蓋板３を有し、前側が開放されている箱形をなすシャーシＢと、直管形をなし、シャーシＢ内に上下に離隔して並置される複数本のランプ４と、ランプ４を駆動するインバータ回路基板と、表示部１の駆動及び制御を行う制御回路基板と、外部機器との間でケーブル等の導線が接続／切離される複数の端子を実装してある端子基板５と、表示部１に表示する映像を処理させる処理回路基板６と、該処理回路基板６に電圧を供給する電圧回路基板７とを備える。
【００２８】
シャーシＢは直方体をなす枠部２と、周縁部が枠部２に結合され、該枠部２の後側端を閉塞する蓋板３とを有する。蓋板３は該蓋板３の面に沿い、ランプ４の長手方向に並置される第１〜第３の板体３１，３２，３３を連結してなり、枠部２に対応して略長方形に形成されている。第１〜第３の板体３１，３２，３３はアルミニウム板からなり、互いに対向する端末を凹凸３１ａ，３２ａ，３３ａにしてあり、凹凸３１ａ，３２ａ及び凹凸３１ａ，３３ａ同士が噛合うように構成されている。
【００２９】
第１の板体３１は両端末に凹凸３１ａ，３１ａを有する略長方形に成形してなり、第２及び第３の板体３２，３３は一端末に凹凸３２ａ，３３ａを有する略長方形に成形してなる。第１〜第３の板体３１，３２，３３の凹凸３１ａ，３２ａ，３３ａ部には複数の螺子筒３１ｂ，３２ｂ，３３ｂが突設されており、また、第１〜第３の板体３１，３２，３３の枠部２に対応する端末部には複数の取付孔が開設されている。
【００３０】
第１の板体３１の一面（外面）には端子基板５、処理回路基板６及び電圧回路基板７を支持するための複数の螺子筒３１ｃが突設されており、第２及び第３の板体３２，３３の他端末部一面（外面）にはランプ４に接続されるインバータ回路基板を支持するための複数の螺子筒３２ｃ，３３ｃが突設されている。螺子筒３１ｂ，３２ｂ，３３ｂ、３１ｃ，３２ｃ，３３ｃは、螺子孔及び鍔部を有し、各螺子筒３１ｂ，３２ｂ，３３ｂ、３１ｃ，３２ｃ，３３ｃが挿通される挿通孔が第１〜第３の板体３１，３２，３３に開設されている。挿通孔は鍔部に対応する孔縁が窪んでおり、該窪部に前記鍔部が嵌入されている。
【００３１】
端子基板５、処理回路基板６及び電圧回路基板７は、第１の板体３１の螺子筒３１ｃに対応する貫通孔が開設されており、夫々の貫通孔に挿通される雄螺子を螺子筒３１ｃの螺子孔に緊締することにより螺子筒３１ｃの先端に夫々支持し、第１の板体３１とにより基板モジュールＣを構成してある。インバータ回路基板は、第２及び第３の板体３２，３３の螺子筒３２ｃ，３３ｃに対応する貫通孔が開設されており、夫々の貫通孔に挿通される雄螺子を螺子筒３２ｃ，３３ｃの螺子孔に緊締することにより螺子筒３２ｃ，３３ｃの先端に夫々支持される。
【００３２】
第１〜第３の板体３１，３２，３３は、並置方向（蓋板３の長手方向）に若干離隔して二つの連結部材３４，３４により連結され、第１及び第２の板体３１，３２の凹凸３１ａ，３２ａの間と、第１及び第３の板体３１，３３の凹凸３１ａ，３３ａの間とに若干の隙間が設けられている。
【００３３】
連結部材３４は隙間を隠蔽する隠蔽部材を兼ねるもので、複数の凹凸条を有する鉄板等の柱形をなす帯状板からなり、蓋板３の幅に対応する長さに成形されている。幅方向両側部には螺子筒３１ｂ，３２ｂ，３３ｂに対応する複数の貫通孔が開設されており、夫々の貫通孔に挿通される雄螺子を螺子筒３１ｂ，３２ｂ，３３ｂの螺子孔に緊締することにより第１の板体３１の両端末部に取付けられている。
【００３４】
以上のように構成された光源装置のシャーシＢは、第２及び第３の板体３２，３３が枠部に雄螺子により取付けられ、基板モジュールＣを構成する第１の板体３１が枠部２に雄螺子により取付けられ、第１の板体３１に取付けられている二つの連結部材３４，３４の幅方向他端部が第２及び第３の板体３２，３３に雄螺子により取付けられ、箱形に構成される。
【００３５】
この際、蓋板３を構成する一つの第１の板体３１に端子基板５、処理回路基板６及び電圧回路基板７を取付けて基板モジュールＣを形成してあり、第１の板体３１が基板支持板を兼ねているため、光源装置が組立てられる組立てラインと別のライン上で基板モジュールＣを組立てることができ、また、基板モジュールＣの状態で該基板モジュールの動作試験を行うことができる。
【００３６】
また、蓋板３は、アルミニウム板からなる第１の板体３１と、アルミニウム板からなる第２及び第３の板体３２，３３とが連結部材３４，３４により連結されているため、蓋板３を軽量にできるとともに蓋板３の剛性を高めることができ、比較的大型の光源装置であっても、シャーシＢを軽量にでき、しかもシャーシＢの剛性を高めることができる。また、連結部材３４により連結される第１〜第３の板体３１，３２，３３の間には隙間が設けられているため、第１〜第３の板体３１，３２，３３の凹凸３１ａ，３２ａ，３３ａ部分が螺子筒３１ｂ，３２ｂ，３３ｂに対して熱膨張し、この熱膨張を前記隙間で吸収することができ、熱膨張による蓋板３の撓み変形を発生し難くできる。
【００３７】
因に、第１〜第３の板体３１，３２，３３を連結部材３４により連結してなる蓋板３と、一枚のアルミニウム板からなる蓋板との長手方向への熱膨張量を、初期温度２０℃、解析時温度４０℃、温度差２０℃で測定したところ、第１〜第３の板体３１，３２，３３を連結してなる蓋板３の熱膨張量は0.687mm であったのに対し、一枚のアルミニウム板からなる蓋板３の熱膨張量は0.701mm であり、熱膨張量を低減できた。
【００３８】
実施の形態２
図４は本発明に係る光源装置のシャーシの他の構成を示す分解斜視図である。この光源装置は、実施の形態１のように枠部２及び蓋板３を有するシャーシＢの蓋板３が複数の板体３１，３２，３３により形成されている構成とする代わりに、シャーシＤ自体が第１〜第３のシャーシ分体８，９，１０により形成され、第１のシャーシ分体８に端子基板５、処理回路基板６及び電圧回路基板７が取付けられ、第１〜第３のシャーシ分体８，９，１０が二つの連結部材３４，３４により連結されている構成としたものである。
【００３９】
シャーシＤは、略長方形をなし、ランプ４の長手方向に並置されている第１〜第３の板部８１，９１，１０１、中央に配されている第１の板部８１の二つの縁から内部側へ屈曲する二つの屈曲片８２を有する第１のシャーシ分体８と、両側に配されている第２及び第３の板部９１，１０１の三つの縁から内部側へ屈曲する三つの屈曲片９２，１０２を有する第２及び第３のシャーシ分体９，１０と、各シャーシ分体８，９，１０の屈曲片８２，９２，１０２が枠形をなすように第１及び第２のシャーシ分体８，９、第１及び第３のシャーシ分体８，１０を夫々連結してある連結部材３４，３４とを備える。
【００４０】
第１〜第３のシャーシ分体８，９，１０は一体に成形されたアルミニウム板からなり、互いに対向する板部８１，９１，１０１の端末を凹凸８３，９３，１０３にしてあり、凹凸８３，９３及び凹凸８３，１０３同士が噛み合うように構成されている。第１〜第３のシャーシ分体８，９，１０の凹凸８３，９３，１０３部分には複数のピン孔が開設されている。
【００４１】
第１のシャーシ分体８の板部８１には端子基板５、処理回路基板６及び電圧回路基板７を支持するための複数の螺子筒８４が突設されており、螺子筒８４夫々の先端に端子基板５、処理回路基板６及び電圧回路基板７を夫々支持し、第１のシャーシ分体８とにより基板モジュールＥを構成してある。
【００４２】
第１〜第３のシャーシ分体８，９，１０は、並置方向（シャーシＤの長手方向）に若干離隔して二つの連結部材３４，３４により板部８１，９１，１０１が連結され、第１及び第２のシャーシ分体８，９の対向する端末間と、第１及び第３のシャーシ分体８，１０の対向する端末間とに若干の隙間が設けられている。
【００４３】
連結部材３４は前記隙間を隠蔽する隠蔽部材を兼ねるもので、複数の凹凸条を有する鉄板等の柱形をなす帯状板からなり、シャーシＤの幅に対応する長さに成形されている。また、幅方向両側部には前記ピン孔に対応する複数のピン孔が開設されており、連結部材３４，３４のピン孔から第１〜第３の板部８１，９１，１０１の前記ピン孔に非アルミニウム製のピンが嵌入されることにより第１〜第３のシャーシ分体８，９，１０を連結してある。
【００４４】
以上のように構成された光源装置のシャーシＤは、アルミニウム板からなる第１のシャーシ分体８と、アルミニウム板からなる第２及び第３のシャーシ分体９，１０とが連結されているため、比較的大型の光源装置であっても、シャーシＤを軽量にでき、しかもシャーシＤの剛性を高めることができる。また、連結部材３４及びピンにより連結される第１〜第３のシャーシ分体８，９，１０の間には隙間が設けられているため、第１〜第３のシャーシ分体８，９，１０の凹凸８３，９３，１０３部分がピンに対して熱膨張し、この熱膨張を前記隙間で吸収することができ、熱膨張によるシャーシＤの撓み変形を発生し難くできる。
その他の構成及び作用は図１〜３に示した実施の形態１と同様であるため、同様の部品については同じ符号を付し、その詳細な説明及び作用効果の説明を省略する。
【００４５】
以上説明した実施の形態の蓋板３は、アルミニウム製の第１〜第３の板体３１，３２，３３を並置してなる蓋板を有する構成としたが、その他、線膨張係数が異なる複数の板体を連結してなる構成としてもよい。例えば第１の板体３１を線膨張係数1.2 ×10-5の鉄板製とし、第２及び第３の板体３２，３３を線膨張係数2.3 ×10-5のアルミニウム製としてもよく、第１〜第３の板体３１，３２，３３の少なくとも一つがアルミニウム製であればよく、この場合においても鉄板製の蓋板に比べて蓋板３を軽量にできるとともに、蓋板３の剛性を高めることができ、比較的大型の光源装置であってもシャーシＢを軽量にできる。また、蓋板３は線膨張係数が異なる板体３１，３２，３３を連結してなるため、線膨張係数が小さい板体により蓋板３の熱膨張量を低減でき、熱膨張による蓋板３の撓み変形を発生し難くできる。また、第１〜第３の板体３１，３２，３３は鉄板等の金属板であってもよい。このように構成される蓋板３は図に示した蓋板３と同様、連結部材３４により連結される。
【００４６】
また、以上説明した実施の形態のシャーシＤは、アルミニウム製の第１〜第３のシャーシ分体８，９，１０を並置してなる構成としたが、その他、線膨張係数が異なる複数のシャーシ分体８，９，１０を連結してなる構成としてもよい。例えば第１のシャーシ分体８を線膨張係数1.2 ×10-5の鉄板製とし、第２及び第３のシャーシ分体９，１０を線膨張係数2.3 ×10-5のアルミニウム製としてもよく、第１〜第３のシャーシ分体８，９，１０の少なくとも一つがアルミニウム製であればよく、この場合においても鉄板製のシャーシに比べて軽量にできるとともに、剛性を高めることができ、比較的大型の光源装置であってもシャーシＤを軽量にできる。また、シャーシＤは線膨張係数が異なるシャーシ分体８，９，１０を連結してなるため、線膨張係数が小さいシャーシ分体８，９，１０によりシャーシＤの熱膨張量を低減でき、熱膨張によるシャーシＤの撓み変形を発生し難くできる。また、第１〜第３のシャーシ分体８，９，１０は鉄板等の金属板であってもよい。このように構成されるシャーシは図に示したシャーシと同様、連結部材３４により連結される。
【００４７】
また、以上説明した実施の形態では、第１〜第３の板体３１，３２，３３を連結部材３４により連結してなる蓋板３を備える構成としたが、その他、連結部材３４をなくし、第１〜第３の板体３１，３２，３３を枠部２に取付ける構成としてもよいし、また、隣合う第１及び第２の板体３１，３２の間、第１及び第３の板体３１，３３の間に、その両端が枠部に取付けられて各板体３１，３２，３３の撓みを阻止する補強部材を配置する構成としてもよい。
【００４８】
また、以上説明した実施の形態では３枚の板体３１，３２，３３を連結してなる蓋板３を備える構成としたが、その他、蓋板３は２枚の板体又は４枚以上の板体を連結してなる構成としてもよい。また、板体３１，３２，３３が互いに対向する端末を凹凸３１ａ，３２ａ，３３ａにしたが、その他、凹凸３１ａ，３２ａ，３３ａにすることなく、直線状の端末としてもよい。
【００４９】
また、蓋板３は板体３１，３２，３３が互いに対向する端末間に隙間を有する構成としたが、その他、隙間がなく、互いに対向する端末同士が接触している構成としてもよい。
【００５０】
また、以上説明した実施の形態では三つのシャーシ分体８，９，１０を連結してなるシャーシＤを備える構成としたが、その他、シャーシＤは二つのシャーシ分体９，１０又は四つ以上のシャーシ分体（シャーシ分体９，１０と二つ以上のシャーシ分体８）を連結してなる構成としてもよい。また、シャーシ分体８，９，１０が互いに対向する端末を凹凸８３，９３，１０３にしたが、その他、凹凸８３，９３，１０３にすることなく、直線状の端末としてもよい。
【００５１】
また、シャーシＤはシャーシ分体８，９，１０が互いに対向する端末間に隙間を有する構成としたが、その他、隙間がなく、互いに対向する端末同士が接触している構成としてもよい。
【００５２】
また、複数のシャーシ分体８，９，１０を並置してなるシャーシＤは、隣合うシャーシ分体８，９，１０の板部８１，９１，１０１同士を連結部材により連結し、屈曲片８２，９２，１０２同士を他の連結部材が連結する構成としてもよい。
【００５３】
第１〜第３の板体３１，３２，３３を連結する手段として第１〜第３の板体３１，３２，３３に螺子筒３１ｂ，３２ｂ，３３ｂを突設したが、その他、螺子筒３１ｂ，３２ｂ，３３ｂをなくし、切起し加工により略Ｌ字形に成形され、且つ螺子孔を有する突起を第１〜第３の板体３１，３２，３３に設け、各突起に端子基板５、処理回路基板６及び電圧回路基板７を支持し、突起夫々の螺子孔に緊締する雄螺子により端子基板５、処理回路基板６及び電圧回路基板７を取付ける構成としてもよい。
【図面の簡単な説明】
【００５４】
【図１】表示装置に組込まれている本発明に係る光源装置の構成を示す断面図である。
【図２】本発明に係る光源装置の構成を示す分解斜視図である。
【図３】本発明に係る光源装置の基板モジュールの構成を示す分解斜視図である。
【図４】本発明に係る光源装置のシャーシの他の構成を示す分解斜視図である。
【図５】光源装置を備える従来の表示装置の構成を示す断面図である。
【図６】従来の光源装置の構成を示す分解斜視図である。
【図７】従来の光源装置の基板モジュールの構成を示す分解斜視図である。
【符号の説明】
【００５５】
Ｂ，Ｄ    シャーシ
２    枠部
３    蓋板
３１  第１の板体
３２  第２の板体
３３  第３の板体
３１ａ，３２ａ，３３ａ  凹凸
３４  連結部材（連結手段）
４    ランプ
５    端子基板（基板）
６    処理回路基板（基板）
７    電圧回路基板（基板）
８    第１のシャーシ分体
９    第２のシャーシ分体
１０  第３のシャーシ分体
【図１】
2008218345.tif 000003
【図２】
2008218345.tif 000004
【図３】
2008218345.tif 000005
【図４】
2008218345.tif 000006
【図５】
2008218345.tif 000007
【図６】
2008218345.tif 000008
【図７】
2008218345.tif 000009